(57)【要約】【課題】ＤＶフォーマット以外のフォーマットにしたがってＤＶフォーマットに準拠した磁気テープに記録したデータの誤消去を防止する。【解決手段】第２の品位のデータを圧縮処理して、圧縮データを生成する圧縮データ処理部と、少なくともタイムコードを含むシステムデータを生成するシステムデータ生成部と、入力された第２の品位のデータに基づき拡張トラック番号を生成する拡張トラック番号生成部と、圧縮データとシステムデータを記憶する記憶部と、記憶部に記憶されている圧縮データとシステムデータを読み出す読出部と、拡張トラック番号に基づき、記憶部に記憶されている圧縮データとシステムデータを所定のタイミングで読み出すように読出部を制御する制御部と、読出部により読み出された圧縮データを第２のセクタに記録し、読出部により読み出されたシステムデータを拡張トラック番号とともに第３のセクタに記録する記録部とを備える。【選択図】  図１３
2004312314.tif 000002
【特許請求の範囲】
【請求項１】
第１のフォーマットに準拠して、第１のセクタ、第２のセクタ及び第３のセクタによりなっているトラックが複数形成されてなる磁気テープに、第１のフォーマットにしたがって第１の品位のデータ、及び当該第１のフォーマットとは異なる第２のフォーマットにしたがって当該第１の品位のデータとは異なる品位のデータ（以下、第２の品位のデータという。）を記録する記録装置において、
入力された第２の品位のデータを圧縮処理して、圧縮データを生成する圧縮データ処理手段と、
少なくともタイムコードを含むシステムデータを生成するシステムデータ生成手段と、
入力された第２の品位のデータから時間情報を検出し、当該時間情報に基づき時刻管理情報を生成する時刻管理情報生成手段と、
上記時刻管理情報に基づき拡張トラック番号を生成する拡張トラック番号生成手段と、
上記圧縮データと上記システムデータを記憶する記憶手段と、
上記記憶手段に記憶されている圧縮データとシステムデータを読み出す読出手段と、
上記拡張トラック番号に基づき、上記記憶手段に記憶されている圧縮データとシステムデータを所定のタイミングで読み出すように上記読出手段を制御する制御手段と、
上記読出手段により読み出された圧縮データを上記第２のセクタに記録し、上記読出手段により読み出されたシステムデータを拡張トラック番号とともに上記第３のセクタに記録する記録手段とを備え、
上記記録手段は、上記第１のセクタの所定の位置に、第２のフォーマットにしたがって上記第２のセクタに圧縮データが記録されていることを示すフォーマット情報を記録し、上記第３のセクタの所定の位置（第１のフォーマットにしたがってデータを記録する場合に、第１のフォーマットであることを示すフォーマット情報を記録する位置（第１のセクタの先頭アドレスからの位置））に、第１のフォーマットであることを示すフォーマット情報を記録することを特徴とする記録装置。
【請求項２】
上記圧縮データ処理手段は、入力された第２の品位のデータをＭＰ＠ＨＬ又はＭＰ＠Ｈ−１４方式で圧縮処理することを特徴とする請求項１記載の記録装置。
【請求項３】
第１のフォーマットに準拠して、第１のセクタ、第２のセクタ及び第３のセクタによりなっているトラックが複数形成されてなる磁気テープに、第１のフォーマットにしたがって第１の品位のデータ、及び当該第１のフォーマットとは異なる第２のフォーマットにしたがって当該第１の品位のデータとは異なる品位のデータ（以下、第２の品位のデータという。）を記録する記録方法において、
入力された第２の品位のデータを圧縮処理して、圧縮データを生成する圧縮データ生成工程と、
少なくともタイムコードを含むシステムデータを生成するシステムデータ生成工程と、
入力された第２の品位のデータから時間情報を検出し、当該時間情報に基づき時刻管理情報を生成する時刻管理情報生成工程と、
上記時刻管理情報に基づき拡張トラック番号を生成する拡張トラック番号生成工程と、
上記圧縮データと上記システムデータを記憶部に記憶させる記憶工程と、
上記記憶部から圧縮データとシステムデータを上記拡張トラック番号に基づき、所定のタイミングで読み出す読出工程と、
上記読出工程により読み出された圧縮データを上記第２のセクタに記録し、上記読出工程により読み出されたシステムデータを拡張トラック番号とともに上記第３のセクタに記録する記録工程とを有し、
上記記録工程は、上記第１のセクタの所定の位置に、第２のフォーマットにしたがって上記第２のセクタに圧縮データが記録されていることを示すフォーマット情報を記録し、上記第３のセクタの所定の位置（第１のフォーマットにしたがってデータを記録する場合に、第１のフォーマットであることを示すフォーマット情報を記録する位置（第１のセクタの先頭アドレスからの位置））に、第１のフォーマットであることを示すフォーマット情報を記録することを特徴とする記録方法。
【発明の詳細な説明】
【０００１】
【発明の属する技術分野】
本発明は、高品位の映像データを磁気テープに記録できるようにした磁気テープ記録装置に関する。
【０００２】
【従来の技術】
最近、圧縮技術が進み、映像データなども、例えば、ＤＶ（Ｄｉｇｉｔａｌ  Ｖｉｄｅｏ）方式により圧縮され、磁気テープに記録されるようになってきた。そのためのフォーマットが、民生用デジタルビデオテープレコーダのＤＶフォーマットとして規定されている。
【０００３】
図１は、従来のＤＶフォーマットの１トラックの構成を表している。なお、ＤＶフォーマットにおいては、映像データは、２４−２５変換されて記録されるが、図１に示す数字のビット数は、２４−２５変換された後の数値を表している。
【０００４】
磁気テープの１７４度の巻き付け角に対応する範囲が、実質的な１トラックの範囲とされる。この１トラックの範囲の外には、１２５０ビットの長さのオーバーライトマージンが形成されている。このオーバーライトマージンは、データの消し残りをなくすためのものである。
【０００５】
１トラックの範囲の長さは、６０×１０００／１００１Ｈｚ（以下、６０Ｈｚという。）の周波数に同期して回転ヘッドが回転される場合、１３４９７５ビットとされ、５０×１０００／１００１Ｈｚ（以下、５０Ｈｚという。）の周波数に同期して回転ヘッドが回転される場合、１３４８５０ビットとされる。
【０００６】
この１トラックには、回転ヘッドのトレース方向（図１において、左から右方向）に、ＩＴＩ（Ｉｎｓｅｒｔ  ａｎｄ  Ｔｒａｃｋ  Ｉｎｆｏｒｍａｔｉｏｎ）セクタ、オーディオセクタ、ビデオセクタ、Ｓｕｂｃｏｄｅセクタが順次配置され、ＩＴＩセクタとオーディオセクタの間にはギャップＧ１が、オーディオセクタとビデオセクタの間にはギャップＧ２が、そしてビデオセクタとＳｕｂｃｏｄｅセクタの間にはギャップＧ３が、それぞれ形成される。
【０００７】
ＩＴＩセクタは、３６００ビットの長さとれ、その先頭にはクロックを生成するための１４００ビットのプリアンブル（ｐｒｅａｍｂｌｅ）が配置され、その次にはＳＳＡ（Ｓｔａｒｔ  Ｓｙｎｃ  Ａｒｅａ）とＴＩＡ（Ｔｒａｃｋ  Ｉｎｆｏｒｍａｔｉｏｎ  Ａｒｅａ）が１９２０ビット分の長さ設けられている。ＳＳＡには、ＴＩＡの位置を検出するために必要なビット列（シンク番号）が配置されている。ＴＩＡには民生用のＤＶフォーマットであることを示す情報、ＳＰ記録モードまたはＬＰ記録モードであることを表す情報、１フレームのパイロット信号のパターンを表す情報などが記録されている。ＴＩＡの次には、２８０ビットのポストアンブル（ｐｏｓｔａｍｂｌｅ）が配置されている。
【０００８】
ギャップＧ１は、６２５ビットの長さとされている。オーディオセクタは、１１５５０ビットの長さとされ、その先頭の４００ビットと最後の５００ビットは、それぞれプリアンブルまたはポストアンブルとされ、その間の１０６５０ビットがデータ（オーディオデータ）とされる。ギャップＧ２は、７００ビットの長さとされる。
【０００９】
ビデオセクタは、１１３２２５ビットの長さとされ、その先頭の４００ビットと最後の９２５ビットが、それぞれプリアンブルまたはポストアンブルとされ、その間の１１１９００ビットがデータ（ビデオデータ）とされる。ギャップＧ３は、１５５０ビットの長さとされる。
【００１０】
Ｓｕｂｃｏｄｅセクタは、回転ヘッドが６０Ｈｚのとき、３７２５ビットの長さとされ、５０Ｈｚのとき、３６００ビットの長さとされる。そのうちの先頭の１２００ビットは、プリアンブルとされ、最後の１３２５ビット（６０Ｈｚのとき）、または１２００ビット（５０Ｈｚのとき）とされ、その間の１２００ビットがデータ（サブコード）とされる。
【００１１】
ＤＶフォーマットにおいては、このように、ＩＴＩセクタ、オーディオセクタ、ビデオセクタ、およびＳｕｂｃｏｄｅセクタの間に、ギャップＧ１乃至Ｇ３が形成されているばかりでなく、各セクタ毎にプリアンブルとポストアンブルが設けられており、いわゆるオーバーヘッドが長く、実質的なデータの記録レートを充分に得ることができない課題があった。
【００１２】
その結果、例えば、高品位の映像データ（以下、ＨＤ（Ｈｉｇｈ  Ｄｅｆｉｎｉｔｉｏｎ）映像データという。）を記録するには、２５Ｍｂｐｓ程度のビットレートが必要であるが、この記録フォーマットでは、ＭＰＥＧ（Ｍｏｖｉｎｇ  Ｐｉｃｔｕｒｅ  Ｅｘｐｅｒｔ  Ｇｒｏｕｐ）方式のＭＰ＠ＨＬに対するビデオレートは、サーチ画像用データを除くと、せいぜい２４Ｍｂｐｓ程度しか確保できず、結果的に、標準の品位の映像データ（以下、ＳＤ（Ｓｔａｎｄａｒｄ  Ｄｅｆｉｎｉｔｉｏｎ）映像データという。）の記録が行えても、ＨＤ映像データをＭＰ＠ＨＬ又はＭＰ＠Ｈ−１４方式などで圧縮して記録することができない課題があった。
【００１３】
上記課題に対処するために、ＤＶフォーマットでは、ＨＤ映像データを記録するためにＡＴＶ記録フォーマット（Ｓｐｅｃｉｆｉｃａｔｉｏｎｓ  ｏｆ  Ｃｏｎｓｕｍｅｒ−Ｕｓｅ  Ｄｉｇｉｔａｌ  ＶＣＲｓ、ＰＡＲＴ８（ＡＴＶ  Ｓｐｅｃｉｆｉｃａｔｉｏｎｓ  ｏｆ  Ｃｏｎｓｕｍｅｒ−Ｕｓｅ  Ｄｉｇｉｔａｌ  ＶＣＲ）及びＳｐｅｃｉｆｉｃａｔｉｏｎｓ  ｏｆ  Ｃｏｎｓｕｍｅｒ−Ｕｓｅ  Ｄｉｇｉｔａｌ  ＶＣＲｓ、ＰＡＲＴ７（ＤＶＢ  Ｓｐｅｃｉｆｉｃａｔｉｏｎｓ  ｏｆ  Ｃｏｎｓｕｍｅｒ−Ｕｓｅ  Ｄｉｇｉｔａｌ  ＶＣＲ））が定義されたが、ＤＶフォーマットに準拠した場合には、ＥＳ（Ｅｌｅｍｅｎｔａｒｙ  Ｓｔｒｅａｍ）として合計１８．７Ｍｂｐｓ程度しか記録することができず、それ以上の画質、音質を得るためには別途記録フォーマットを定義することが必要であった。
【００１４】
また、ＤＶフォーマットに準拠したデータ（ＳＤデータ）とＤＶフォーマットに準拠していないデータ（ＨＤデータ）とが混在記録されている場合に、それぞれのデータを認識するために、ＳＤデータとＨＤデータのＩＴＩのＡＰＴ（  Ａｐｐｌｉｃａｔｉｏｎ  ＩＤ  ｏｆ  ａ  ｔｒａｃｋ）を異なる値に設定する技術がある（特許文献１）。なお、ＳＤデータのＩＴＩのＡＰＴは、ＤＶフォーマットに準拠していることを示す値「０００」である。
【００１５】
【特許文献１】
特開２００１−２７５０７６号公報
【００１６】
【発明が解決しようとする課題】
しかしながら、ＡＰＴの値をＤＶフォーマットに準拠していないことを示す値（例えば、「０１０」）に設定すると、ＤＶフォーマットにのみ対応している民生用デジタルビデオテープレコーダでは、Ｒｅｓｅｒｖｅｄ（認識できない記録がなされている）と認識されてしまい、ユーザーに対し無記録テープを再生したときと同じ振る舞いをすることがあり、以前に記録したデータを誤って消去又は他のデータで上書き記録してしまう問題がある。
【００１７】
そこで、本発明は、上述したような実情に鑑みて提案されたものであり、ＤＶフォーマットにのみ対応している再生装置において、ＤＶフォーマットに準拠していないデータ（ＨＤデータ）が記録されていることを認識させられるように、ＨＤデータをＤＶフォーマットに準拠した磁気テープに記録する記録装置及び方法を提供することを目的とする。
【００１８】
【課題を解決するための手段】
本発明に係る記録装置は、上述の課題を解決するために、第１のフォーマットに準拠して、第１のセクタ、第２のセクタ及び第３のセクタによりなっているトラックが複数形成されてなる磁気テープに、第１のフォーマットにしたがって第１の品位のデータ、及び当該第１のフォーマットとは異なる第２のフォーマットにしたがって当該第１の品位のデータとは異なる品位のデータ（以下、第２の品位のデータという。）を記録する記録装置において、入力された第２の品位のデータを圧縮処理して、圧縮データを生成する圧縮データ処理手段と、少なくともタイムコードを含むシステムデータを生成するシステムデータ生成手段と、入力された第２の品位のデータから時間情報を検出し、当該時間情報に基づき時刻管理情報を生成する時刻管理情報生成手段と、上記時刻管理情報に基づき拡張トラック番号を生成する拡張トラック番号生成手段と、上記圧縮データと上記システムデータを記憶する記憶手段と、上記記憶手段に記憶されている圧縮データとシステムデータを読み出す読出手段と、上記拡張トラック番号に基づき、上記記憶手段に記憶されている圧縮データとシステムデータを所定のタイミングで読み出すように上記読出手段を制御する制御手段と、上記読出手段により読み出された圧縮データを上記第２のセクタに記録し、上記読出手段により読み出されたシステムデータを拡張トラック番号とともに上記第３のセクタに記録する記録手段とを備え、上記記録手段は、上記第１のセクタの所定の位置に、第２のフォーマットにしたがって上記第２のセクタに圧縮データが記録されていることを示すフォーマット情報を記録し、上記第３のセクタの所定の位置（第１のフォーマットにしたがってデータを記録する場合に、第１のフォーマットであることを示すフォーマット情報を記録する位置（第１のセクタの先頭アドレスからの位置））に、第１のフォーマットであることを示すフォーマット情報を記録する。
【００１９】
本発明に係る記録方法は、上述の課題を解決するために、第１のフォーマットに準拠して、第１のセクタ、第２のセクタ及び第３のセクタによりなっているトラックが複数形成されてなる磁気テープに、第１のフォーマットにしたがって第１の品位のデータ、及び当該第１のフォーマットとは異なる第２のフォーマットにしたがって当該第１の品位のデータとは異なる品位のデータ（以下、第２の品位のデータという。）を記録する記録方法において、入力された第２の品位のデータを圧縮処理して、圧縮データを生成する圧縮データ生成工程と、少なくともタイムコードを含むシステムデータを生成するシステムデータ生成工程と、入力された第２の品位のデータから時間情報を検出し、当該時間情報に基づき時刻管理情報を生成する時刻管理情報生成工程と、上記時刻管理情報に基づき拡張トラック番号を生成する拡張トラック番号生成工程と、上記圧縮データと上記システムデータを記憶部に記憶させる記憶工程と、上記記憶部から圧縮データとシステムデータを上記拡張トラック番号に基づき、所定のタイミングで読み出す読出工程と、上記読出工程により読み出された圧縮データを上記第２のセクタに記録し、上記読出工程により読み出されたシステムデータを拡張トラック番号とともに上記第３のセクタに記録する記録工程とを有し、上記記録工程は、上記第１のセクタの所定の位置に、第２のフォーマットにしたがって上記第２のセクタに圧縮データが記録されていることを示すフォーマット情報を記録し、上記第３のセクタの所定の位置（第１のフォーマットにしたがってデータを記録する場合に、第１のフォーマットであることを示すフォーマット情報を記録する位置（第１のセクタの先頭アドレスからの位置））に、第１のフォーマットであることを示すフォーマット情報を記録する。
【００２０】
【発明の実施の形態】
以下、適宜図面を参照しながら本発明の実施の形態を詳述する。
【００２１】
本発明の実施の形態に係る記録再生装置では、ＤＶ（Ｄｉｇｉｔａｌ  Ｖｉｄｅｏ）方式（フォーマット）とほぼ同一の磁気テープ走行系を使用して、所定のデータを磁気テープに記録する。
【００２２】
ここで、ＤＶフォーマットの１トラック内のセクタ配置について図１を用いて以下に説明する。１トラックは、回転ヘッドのトレース方向（図１において、左から右）に、ＩＴＩセクタが３６００ビット、ＧＡＰ１が６２５ビット、Ａｕｄｉｏセクタが１１５５０ビット、ＧＡＰ２が７００ビット、Ｖｉｄｅｏセクタが１１３２２５ビット、ＧＡＰ３が１５５０ビット、Ｓｕｂｃｏｄｅセクタが６０×１０００／１００１Ｈｚ（以下、６０Ｈｚという。）の周波数に同期して回転ヘッドが回転される場合は３７２５ビット、５０×１０００／１００１Ｈｚ（以下、５０Ｈｚという。）の周波数に同期して回転ヘッドが回転される場合は３６００ビット、オーバーライトマージンが１２５０ビットにより構成されている。１トラックの有効ビット数は、ＩＴＩセクタの先頭アドレスからＳｕｂｃｏｄｅセクタの最終アドレスまでで、６０Ｈｚの場合には１３４９７５ビット、５０Ｈｚの場合には１３４８５０ビットになる。
【００２３】
ここで、本発明に係るフォーマットの１トラック内のセクタ配置について図２を用いて以下に説明する。１トラックは回転ヘッドのトレース方向（図２において、左から右）に、ＩＴＩセクタが３６００ビット、Ｍａｉｎセクタが１２８５７５ビット、Ｓｕｂｃｏｄｅセクタが６０Ｈｚの周波数に同期して回転ヘッドが回転される場合は２８００ビット、５０Ｈｚの周波数に同期して回転ヘッドが回転される場合は２６７５ビット、オーバーライトマージンが１２５０ビットにより構成されている。１トラックの有効ビット数は、ＩＴＩセクタの先頭アドレスからＳｕｂｃｏｄｅセクタの最終アドレスまでで、６０Ｈｚの場合１３４９７５ビット、５０Ｈｚの場合１３４８５０ビットになり、ＤＶフォーマットと同一である。
【００２４】
本発明に係るフォーマットのＩＴＩセクタの構成は、図３に示すように、ＤＶフォーマットと同じであり、１４００ビットのＩＴＩプリアンブル（以下、プリアンブルという。）、３０ビットを１シンクブロック単位として６１シンクブロック分の合計１８３０ビットのＳＳＡ（Ｓｔａｒｔ−Ｓｙｎｃ  ｂｌｏｃｋ  Ａｒｅａ）、同じく３０ビットを１シンクブロック単位として３シンクブロック分の合計９０ビットのＴＩＡ（Ｔｒａｃｋ  Ｉｎｆｏｒｍａｔｉｏｎ  Ａｒｅａ）、２８０ビットのＩＴＩポストアンブルよりなる。ＴＩＡは、図４に示すように３０ビット（ｂ０〜ｂ２９）のシンク構造よりなる。
【００２５】
また、ＴＩＡは、図５に示すように、ＡＰＴ（Ａｐｐｌｉｃａｔｉｏｎ  ＩＤ  ｏｆ  ａ  ｔｒａｃｋ）が３ビット、ＴＰ（Ｔｒａｃｋ  Ｐｉｔｃｈ）が２ビット、ＰＦ（Ｐｉｌｏｔ  Ｆｒａｍｅ）が１ビットが、それぞれ２重記録されている。つまり、ＡＰＴは、ＴＩＡのビット１２からビット１７までの６ビット中に記録されている。
【００２６】
本発明ではこのＩＴＩセクタのＡＰＴを「０１０」としている。これはＩＴＩセクタ以降のＭａｉｎセクタ、Ｓｕｂｃｏｄｅセクタの構成がＤＶフォーマットと異なることと、既に「００１」が他のフォーマットにより使用されているためである。
【００２７】
Ｍａｉｎセクタは、図６に示す構造よりなる。Ｍａｉｎセクタには、映像データ、音声データ、付加データ及びサーチデータが記録される。
【００２８】
ＤＶフォーマットのＳｕｂｃｏｄｅセクタの構造は、図１に示すように、プリアンブルが１２００ビット、Ｓｕｂｃｏｄｅデータが１２００ビット、ポストアンブルが６０Ｈｚのとき１３２５ビット、５０Ｈｚのとき１２００ビットになる。また、ＩＴＩセクタの先頭アドレスからＳｕｂｃｏｄｅセクタのＳｕｂｃｏｄｅデータの先頭アドレスまでは１３２４５０ビットになる。
【００２９】
一方、本発明のＳｕｂｃｏｄｅセクタの構造は、図２に示すように、プリアンブルが２７５ビット、Ｓｕｂｃｏｄｅデータが１２００ビット、ポストアンブルが６０Ｈｚのとき１３２５ビット、５０Ｈｚのとき１２００ビットになる。また、ＩＴＩセクタの先頭アドレスからＳｕｂｃｏｄｅセクタのＳｕｂｃｏｄｅデータの先頭アドレスまではＤＶフォーマットと同様１３２４５０ビットになる。
【００３０】
例えば、ＤＶフォーマットにのみ準拠している再生装置（以下、ＤＶ再生装置という。）により、Ｓｕｂｃｏｄｅシンクパターンを検出するときに、ＳｕｂｃｏｄｅのシンクブロックをＩＴＩセクタの記録位置（先頭アドレス）を基準にしてＤＶフォーマットのＳｕｂｃｏｄｅシンクブロックが記録されている磁気テープ上の特定の位置を測定し、限定することによりＳｕｂｃｏｄｅシンクパターンを検出する機構であった場合に、本発明に係るフォーマットにしたがって記録されたデータを再生する場合の動作について以下に説明する。
【００３１】
ＤＶ再生装置では、一般的に、シンクパターンが断続的に現れた際に、その断続した部分を補間するように構成されている。ここで、ＤＶ再生装置による補間処理について説明する。ＤＶ再生装置は、１つのシンクパターンを検出した後、次のタイミング（Ｔ１）にシンクパターンが現れないときには、そのＴ１に疑似的にシンクパルスを補間形成し、さらに、次のタイミング（Ｔ２）にシンクパルスがあるがどうかを確認する。そして、ＤＶ再生装置は、Ｔ２にシンクパルスが現れないときには、シンクパルスはないものと認識し、一連のシンクパターンの連続性を断ち、新たなシンクパターンの検出に備える。
【００３２】
本発明に係るフォーマットでは、図２に示すように、Ｓｕｂｃｏｄｅセクタのプリアンブルは２７５ビット用意されており、Ｓｕｂｃｏｄｅの１シンクブロック長（１００ビット）の２倍（２シンクブロック）以上あるため、ＤＶ生成装置の補間回路が２シンク分の前方補間を行なったとしても、補間されたシンクパルスの付近にはランナップパターン（シンクパターンとは異なる一定パターンのビット列）が記録されており、擬似データが発生する可能性はきわめて低い。
【００３３】
このように、ＤＶフォーマットで記録されたＳｕｂｃｏｄｅシンクブロックと本発明に係るフォーマットで記録されたＳｕｂｃｏｄｅシンクブロックの記録位置が物理的に磁気テープ上で一致しているため、ＤＶ再生装置により本発明に係るフォーマットで記録されたデータを再生する際にＳｕｂｃｏｄｅシンクパターンの検出範囲を誤ることがない。なお、プリアンブルは、ＤＶ再生装置の補間処理により連続性を断ち切れるビット数であれば良く、２７５ビットに限られない。ただし、ＩＴＩセクタの先頭アドレスからＳｕｂｃｏｄｅセクタのＳｕｂｃｏｄｅデータの先頭アドレスまでは、ＤＶフォーマットと同様１３２４５０ビットでなければならない。
【００３４】
つぎに、Ｓｕｂｃｏｄｅデータの構造を図７に示す。１シンクブロックが１６ビットのシンクエリア、２４ビットのＩＤデータエリア、４０ビットのＳｕｂｃｏｄｅデータエリア、１６ビットのＣ１パリティエリアからなり、１トラックあたり１２シンクブロックが記録されている。
【００３５】
また、６０Ｈｚ及び５０ＨｚのときのＳｕｂｃｏｄｅデータエリアの構造を図８に示す。Ｓｕｂｃｏｄｅデータエリアは、６０Ｈｚの場合は、１フレーム（１０トラック）のトラック０からトラック４までの前半５トラックをＦｉｒｓｔ  Ｔｒａｃｋ  Ｄａｔａ（以下、前半データという。）とし、トラック５からトラック９までの後半５トラックをＳｅｃｏｎｄ  Ｔｒａｃｋ  Ｄａｔａ（以下、後半データという。）とする。また、Ｓｕｂｃｏｄｅデータエリアは、５０Ｈｚの場合は、１フレーム（１２トラック）のトラック０からトラック５までの前半６トラックを前半データとし、トラック６からトラック１１までの後半６トラックを後半データとする。前半データと後半データはそれぞれ図９に示すとおりである。
【００３６】
図９において斜線がかかったシンクブロックは、ＤＶフォーマットでＭａｉｎエリアと定義されており、必ず指定されたデータを記録しなければならないデータエリアである。一方、斜線がかかっていないシンクブロックは、Ｏｐｔｉｏｎエリアと定義され、運用がある程度自由なエリアである。本発明では、Ｍａｉｎエリアには、ＤＶフォーマットに準拠した通常の記録を行い、Ｏｐｔｉｏｎエリアには、Ｍａｉｎセクタに記録されるデータに付随する情報を記録する。また、Ｏｐｔｉｏｎエリアに記録する情報は、当然のことながら、ＤＶフォーマットと同じ５バイトパック構造をとる。
【００３７】
図１０にパックデータの一例を示す。このパックデータは、５バイトパック構造となっており、フラグ類と拡張トラックナンバー（ＥＴＮ、Ｅｘｔｅｎｄｅｄ  Ｔｒａｃｋ  Ｎｕｍｂｅｒ）からなる。なお、ＰＣ２〜ＰＣ４に記録されるＥＴＮの詳細については後述する。
【００３８】
ＰＣ１に記録されるフラグ類は、例えば、ＭａｉｎセクタにＭＰＥＧ−２でエンコードされた映像データと、その映像データから作られたサーチデータが記録されている場合には、サーチデータに関連のあるフラグ類を記録する。また、Ｓｕｂｃｏｄｅシンクブロックは、装置に内蔵されている記録再生ヘッドが高速にテープを走査している場合でも取得されるので、ＰＣ１は、記録終了点を示すフラグや現在のトラックに記録されているピクチャの種類等が記録されても良い。
【００３９】
また、このパックデータのパックヘッダを、ＤＶフォーマットで使用されていない値、例えば、９７ｈ等に設定しても良い。なお、このようにパックヘッダを９７ｈ等に設定すると、ＤＶフォーマットのＭＰＥＧに関するパックデータ郡（９＊ｈ）と親和性が良くなる。
【００４０】
また、ＤＶフォーマットにおけるＳｕｂｃｏｄｅセクタのＳｕｂｃｏｄｅデータのＩＤデータエリアは、図１１に示すように、ＩＤ０（ＭＳＢからＬＳＢまで８ビット）と、ＩＤ１（ＭＳＢからＬＳＢまで８ビット）と、図示しないパリティ（８ビット）の２４ビットからなる。また、ＩＤデータエリアの第１２シンク目のＡＰＴ２〜ＡＰＴ０（ＩＤ０のビット４（ｂ４）からビット６（ｂ６））には、トラック（Ａｕｄｉｏセクタ及びＶｉｄｅｏセクタ）に記録されているデータの種類が表されるようになされている。例えば、「ＡＰＴ２，ＡＰＴ１，ＡＰＴ０」（以下、ＡＰＴという。）の値の「０００」は、トラックに民生用デジタルビデオカセットレコーダのデータが記録されていること、すなわち、ＤＶフォーマットのデータが記録されていることを意味する。
【００４１】
一方、本発明に係るフォーマットにおけるＳｕｂｃｏｄｅセクタのＳｕｂｃｏｄｅデータのＩＤデータエリアは、上述したＤＶフォーマットと同様に、図１２に示すように、ＩＤ０（ＭＳＢからＬＳＢまで８ビット）と、ＩＤ１（ＭＳＢからＬＳＢまで８ビット）と、図示しないパリティ（８ビット）の２４ビットからなる。
【００４２】
ここで、ＤＶフォーマットにおけるＩＴＩのＡＰＴ２，ＡＰＴ１，ＡＰＴ０（以下、ＡＰＴという。）とＳｕｂｃｏｄｅセクタのＳｕｂｃｏｄｅデータエリアのＡＰＴについて以下に述べる。
【００４３】
ＤＶフォーマットにしたがってデータが記録された場合には、当該データがＡｕｄｉｏセクタ及びＶｉｄｅｏセクタに記録されたときのフォーマット情報をＩＴＩのＡＰＴとＳｕｂｃｏｄｅセクタのＳｕｂｃｏｄｅデータエリアのＡＰＴに記録する。例えば、データがＤＶフォーマット以外の第２のフォーマットで記録された場合には、ＩＴＩのＡＰＴとＳｕｂｃｏｄｅセクタのＳｕｂｃｏｄｅデータエリアのＡＰＴには当該第２のフォーマットを示す情報（「０００」以外）が記録される。
【００４４】
このようにＩＴＩのＡＰＴとＳｕｂｃｏｄｅセクタのＳｕｂｃｏｄｅデータエリアのＡＰＴに、第２のフォーマットを示す情報が記録されたテープをＤＶ再生装置で再生させると、ＤＶフォーマット（ＡＰＴ＝０００）とは異なるトラック記録パターンであるという認識をし、Ｓｕｂｃｏｄｅデータがエラーなく取得できていたとしても、あたかも無記録テープのような振る舞いをしてしまい、以前に記録したデータを誤って消去又は他のデータで上書き記録してしまう場合がある。
【００４５】
ここで、本発明に係るフォーマットにおけるＩＴＩのＡＰＴとＳｕｂｃｏｄｅセクタのＳｕｂｃｏｄｅデータエリアのＡＰＴについて以下に述べる。
【００４６】
本発明に係るフォーマットにしたがってデータが記録された場合には、当該データがＭａｉｎセクタに記録されたときのフォーマット情報をＩＴＩのＡＰＴに記録し、ＳｕｂｃｏｄｅセクタのＳｕｂｃｏｄｅデータエリアのＡＰＴには、ＤＶフォーマットを示す情報「０００」を記録する。したがって、本発明では、ＩＴＩのＡＰＴには、Ｍａｉｎセクタに記録されるデータに基づいて所定の値が記録されるが、ＳｕｂｃｏｄｅセクタのＳｕｂｃｏｄｅデータエリアのＡＰＴには、固定的にＤＶフォーマットを示す情報が記録される。例えば、ＭａｉｎセクタにＤＶフォーマット以外のフォーマットでデータが記録された場合には、ＩＴＩのＡＰＴには、「０１０」が記録され、ＳｕｂｃｏｄｅセクタのＳｕｂｃｏｄｅデータエリアのＡＰＴには、「０００」が記録される。
【００４７】
したがって、本発明に係るフォーマットにしたがってデータが記録されると、ＩＴＩのＡＰＴには、従来通りＭａｉｎセクタに記録されるデータのフォーマット情報が記録されるが、ＳｕｂｃｏｄｅセクタのＳｕｂｃｏｄｅデータエリアのＡＰＴには、ＤＶフォーマットを示す情報が記録されるので、このようなデータをＤＶ再生装置で再生した場合、Ｍａｉｎセクタに記録されたデータは、ＤＶフォーマットにしたがって記録されたものであると認識させることができる。
【００４８】
ここで、上述した本発明に係るフォーマットにしたがって、データを記録する磁気テープ記録再生装置１の具体例について以下に示す。
【００４９】
図１３は、磁気テープ記録再生装置１の記録系のブロック図である。磁気テープ記録再生装置１は、入力された映像データを圧縮処理する映像データ圧縮部３と、サーチデータを発生するサーチデータ発生部４と、入力された音声データを圧縮処理する音声データ圧縮部５と、補助データを発生する補助データ発生部６と、映像データ圧縮部３、サーチデータ発生部４、音声データ圧縮部５及び補助データ発生部６から入力されたデータを多重化処理するＭＵＸ部７と、誤り訂正符号とＩＤデータを付加する誤り訂正符号ＩＤ付加部９と、Ｓｕｂｃｏｄｅセクタにおけるサブコードのデータ列を生成するサブコード発生部１０と、誤り訂正符号ＩＤ付加部９から入力されたデータに２４−２５変換を行なう２４−２５変換部１１と、入力されたデータにシンクを付加するシンク付加回路１２と、入力されたデータにＮＲＺＩ（Ｎｏｎ  Ｒｅｔｕｒｎ  ｔｏ  Ｚｅｒｏ  Ｉｎｖｅｒｔｅｄ）変調した後、シリアルデータ列に変換する変調部・Ｐ／Ｓ変換部１３と、当該磁気テープ記録再生装置１の動作の全体を制御する制御部８と、磁気テープ２に変調部・Ｐ／Ｓ変換部１３から供給されたデータを記録する磁気ヘッド１４を備える。
【００５０】
ここで、磁気テープ記録再生装置１により磁気テープ２にデータを記録する動作について説明する。
【００５１】
順次、入力されるビデオデータＨＤＶ（Ｈｉｇｈ  Ｄｅｆｉｎｉｔｉｏｎ  Ｖｉｄｅｏ）は、制御部８によりレート制御された映像データ圧縮部３にてＭＰＥＧ−２ビデオＥＳ（Ｅｌｅｍｅｎｔａｒｙ  Ｓｔｒｅａｍ）に圧縮され、さらにデコード時刻情報であるＤＴＳ（Ｄｅｃｏｄｉｎｇ  Ｔｉｍｅ  Ｓｔａｍｐ）と表示時刻情報であるＰＴＳ（Ｐｒｅｓｅｎｔａｔｉｏｎ  Ｔｉｍｅ  Ｓｔａｍｐ）などからなるＰＥＳヘッダを付加されることにより、ＰＥＳ（Ｐａｃｋｅｔｉｚｅｄ  Ｅｌｅｍｅｎｔａｒｙ  Ｓｔｒｅａｍ）化された後にＭＵＸ部７のメモリの所定の位置に蓄えられる。
【００５２】
また、オーディオデータＤＡは、音声データ圧縮部５でＭＰＥＧ−１  Ａｕｄｉｏ  Ｌａｙｅｒ２に圧縮され、ビデオＰＥＳと同様にＰＥＳヘッダを付加されてＰＥＳ化された後にＭＵＸ部７のメモリの所定の位置に蓄えられる。
【００５３】
サーチデータ発生部４は、ＭＵＸ部７に一旦蓄えられたビデオＰＥＳデータのうち、Ｉピクチャであるピクチャデータを選択取得し、さらにデータ圧縮を行うことによりサーチ画を生成し、ＰＥＳ化した後にＭＵＸ部７のメモリの所定の位置に蓄える。
【００５４】
補助データ発生部６は、映像データおよび音声データの圧縮に伴う情報、サーチデータに関する情報、およびそれらに関する時刻情報を映像データ圧縮部３、音声データ圧縮部５、サーチデータ発生部４から集めるとともに、制御部８からそれらを制御するための情報が供給され、供給された情報に基づいて補助データを発生し、ＭＵＸ部７のメモリの所定の位置に蓄える。ＭＵＸ部７のメモリに蓄えられた各種データは、ビデオＰＥＳデータのＤＴＳと比例関係にあるトラック単位で単調増加するＥＴＮにしたがって、所定の時刻に所定のメモリ位置から読み出され、誤り訂正符号ＩＤ付加部９で誤り訂正符号とＩＤデータを付加された後、２４−２５変換部１１で２４−２５変換され、２４−２５変換されたデータのシンクブロック毎の先頭にシンク付加回路１２によりシンクパターンが付加され、変調部・Ｐ／Ｓ変換１３によりＮＲＺＩ変調され、その後シリアルデータ列に変換されて、記録アンプおよび磁気記録ヘッド１４により磁気テープ２に記録される。なお、ＭＵＸ部７のメモリを読み出すためのタイミング情報であるＥＴＮもサブコードデータの一部として磁気テープ２に記録される。
【００５５】
つぎに、上述のように磁気テープ２に記録されたデータを磁気テープ記録再生装置１により再生するときの動作について説明する。
【００５６】
図１４は、磁気テープ記録再生装置１の再生系のブロック図である。磁気テープ記録再生装置１は、磁気テープ２からデータを読み出す磁気ヘッド１４と、デジタル変換し、シリアル−パラレル変換を行なうデジタル変換部・Ｓ／Ｐ変換部２１と、復調処理を行なう復調部２２と、シンクの先頭を検出するシンク検出部２３と、誤り訂正処理とデインターリーブ処理を行なう誤り符号ＩＤ検出部２４と、入力されたデータに２５−２４変換を行なう２５−２４変換部２５と、サブコードシンクからサブコードをシンクブロック検出して誤り訂正を行うサブコード検出部２６と、誤り訂正ＩＤ検出部２４の出力データをシンクブロックヘッダにより各処理系に分離して出力するＤＥＭＵＸ部２７と、ＤＥＭＵＸ部２７から入力されたビデオデータをデータ伸長して出力する映像データ伸長部２８と、ＤＥＭＵＸ部２７から入力されたサーチ用データからビデオデータを生成して出力するサーチデータ検出部２９と、ＤＥＭＵＸ部２７から入力されたオーディオデータをデータ伸長して出力する音声データ伸長部３０と、ＤＥＭＵＸ部２７から入力された補助データを検出して制御部８に出力する補助データ検出部３１とを備える。
【００５７】
なお、デジタル変換部・Ｓ／Ｐ変換部２１と復調部２２と変調部・Ｐ／Ｓ変換部１３、２５−２４変換部２５と２４−２５変換部１１、誤り符号ＩＤ検出部２４と誤り訂正符号ＩＤ付加部９、サブコード検出部２６とサブコード発生部１０、ＤＥＭＵＸ部２７とＭＵＸ部７、映像データ伸長部２８と映像データ圧縮部３、サーチデータ検出部２９とサーチデータ発生部４、音声データ伸長部３０と音声データ圧縮部５、補助データ検出部３１と補助データ発生部６は、一体であっても良い。
【００５８】
ここで、磁気テープ記録再生装置１により磁気テープ２に記録されているデータを読み出す動作について説明する。
【００５９】
磁気ヘッド１４により再生されたデータは、デジタル変換部・Ｓ／Ｐ変換部２１でＳ／Ｐ変換された後に、復調部２２で記録時のＮＲＺＩ変調に対する復調をされ、２５−２４変換部２５で２５−２４変換が行なわれる。２５−２４変換部２５は、データが２４−２５変換部１１に入力されたときと同じデータを誤り符号ＩＤ検出部２４に出力する。また、同時に復調部２２で復調されたデータは、シンク検出部２３に入力される。シンク検出部２３は、入力ビット列からシンクの先頭を検出し、誤り符号ＩＤ検出部２４に検出結果を出力する。
【００６０】
２５−２４変換部２５により２５−２４変換された後の再生データは、誤り符号ＩＤ検出処理２４により誤り訂正を行われた後に、ＤＥＭＵＸ部２７のメモリの所定の位置に蓄えられる。
【００６１】
ＤＥＭＵＸ部２７は、サブコード検出部２６を経由してサブコード情報を所定のタイミングで制御部８に読み出す。制御部８はサブコードに記録されているＥＴＮを基準にメモリから各々のデータを読み出すタイミングの元になるＳＴＣ（Ｓｙｓｔｅｍ  Ｔｉｍｅ  Ｃｌｏｃｋ）の初期化を行う。また、ＤＥＭＵＸ部２７は、制御部８の制御に応じて、シンクブロック内の識別情報をもとに出力先を選択するとともに、映像データおよび音声データの各々のＰＥＳヘッダに書かれているＤＴＳとＳＴＣを比較処理を行なう。ＤＥＭＵＸ部２７は、比較結果に基づきＳＴＣがＤＴＳ−ＶＢＶ（Ｖｉｄｅｏ  Ｂｕｆｆｅｒｉｎｇ  Ｖｅｒｉｆｉｅｒ）ディレイの時刻と一致すると判断した場合には、そのＤＴＳがＰＥＳヘッダに書かれたビデオＰＥＳデータを映像データ伸長部２８へ出力する。
【００６２】
映像データ伸長部２８に入力されたビデオＰＥＳデータは、伸長されてもとの映像データＨＤＶとして出力される。ＤＥＭＵＸ部２７は、音声データＳＴＣがＰＴＳ−ＰＥＳデータ長のチェックに必要なディレイ分の時刻と一致すると、そのＰＴＳがＰＥＳヘッダに書かれたオーディオＰＥＳデータを音声データ伸長部３０に出力する。音声データ伸長部３０に入力されたオーディオＰＥＳデータは、伸長されてもとの音声データＤＡとして出力される。
【００６３】
ＤＥＭＵＸ部２７のメモリより読み出されたサーチデータは、サーチデータ検出部２９により映像データが検出され、映像データ伸長部２８を経由して映像データＨＤＶとして出力される。
【００６４】
ＤＥＭＵＸ部２７のメモリより読み出された補助データは、補助データ検出部３１を通ることで、映像データまたは音声データの伸長に関する情報、サーチデータに対する補助データとしてそれぞれ識別される。識別された情報の一部は、制御部８に供給されるとともに、ＡＵＸとして外部へ出力される。
【００６５】
ここで、ビデオＰＥＳデータの記録位置とＥＴＮの関係について以下に述べる。本発明で記録された磁気テープ上のビデオＰＥＳデータの記録位置とＥＴＮの関係は、ビデオＰＥＳデータとＤＴＳ時刻の関係に等しい。ビデオＰＥＳデータの先頭アドレスとＤＴＳ時刻との時間差はＶＢＶディレイであるが、磁気テープ上の特定されたビデオＰＥＳデータの先頭位置からそのビデオＰＥＳデータに対応するＥＴＮがサブコードに記録されたトラックまでのトラック数は、
ＶＢＶディレイ／９０ｋＨｚ×（ビデオエンコードレート）／（１トラック中に記録できる有効データ量）で計算できる。この演算結果の商がトラック数になり、余りがトラックよりも細かい精度であるシンクブロック単位の記録位置補正量となる。
【００６６】
例えば、磁気テープ上のあるトラックのサブコードに特定のＥＴＮが記録された場合には、そのＥＴＮに対応するビデオＰＥＳデータの書き出し位置は、前述した通りＥＴＮのトラックからＶＢＶディレイに相当するトラック数をさかのぼったトラックの１つ前のトラックの特定シンクブロックから、ということになる。しかし、実際に磁気テープに記録するデータは、ビデオデータだけではなく、オーディオＰＥＳデータやサーチデータ、補助データもある。そのため磁気テープ記録再生装置１では、その分の余裕を持つために、ＥＴＮのトラックから、ＶＢＶディレイ＋αトラック（例えば、α＝１６）さかのぼったトラックから、ビデオＰＥＳデータ、オーディオＰＥＳデータ、補助データ、サーチデータの記録を開始する。
【００６７】
また、再生時には１トラックあたり、前述の１トラック中に記録できる有効データ量相当を忠実に再生していけば、自ずとビデオＰＥＳデータは記録したときと全く同じものとなり、単位時間あたりのデータ量に偏りのないストリームとして再生出力することが可能となる。
【００６８】
また、磁気テープ上にデータの記録を開始する位置を決定する過程において、特定のＥＴＮが記録されたトラックが複数存在すると、ビデオＰＥＳデータの記録を開始するトラックが１つに決定できない不具合が生じる。また、ＥＴＮとビデオＰＥＳデータの記録を開始するトラックとの関係は、ＤＴＳとビデオＰＥＳデータの先頭との関係と同じであり、ＤＴＳがビデオ１フレーム間隔で等間隔に増加していくことに対して、あるビデオＰＥＳデータに対応するＥＴＮと次のビデオＰＥＳデータに対応するＥＴＮの値との間隔が常に等間隔でないと、必然的に再生時に単位時間あたりのデータ量の偏りとして矛盾が生じてしまう。
【００６９】
また、ＤＶフォーマットでは、絶対的なトラックの数をカウントするＡＴＮ（Ａｂｓｏｌｕｔｅ  Ｔｒａｃｋ  Ｎｕｍｂｅｒ）がサブコードに存在するが、テープ走行速度が標準のＳＰ（Ｓｔａｎｄａｒｄ  Ｐｌａｙ）記録モードと、テープ走行速度がＳＰ記録モードの２／３倍であるＬＰ（Ｌｏｎｇ  Ｐｌａｙ）記録モードとの混在記録、および繋ぎ撮り記録を考慮するために、ＳＰ記録モードでは１トラックあたり１カウントずつ増加するカウンタとして動作するが、ＬＰ記録モード時には３トラックで２カウントずつ増加するカウンタとして動作する。そのため、上述したＥＴＮのように、いかなる場合でも１トラックで１カウント増加するトラックカウンタとして利用することができない。そこで、本発明に係るフォーマットでは、上述したＥＴＮを１トラックで１カウント増加するカウンタとして利用する。
【００７０】
このように構成された磁気テープ記録再生装置１では、ＤＶフォーマットに準拠した磁気テープに、例えば、ＨＤ映像データを記録する際に、当該ＨＤ映像データを圧縮処理して、ＤＶフォーマットとは異なる第２のフォーマットにしたがって圧縮後のＨＤ映像データを磁気テープに記録するので、ＩＴＩのＡＰＴには、当該第２のフォーマットを示す情報が記録され、ＳｕｂｃｏｄｅセクタのＳｕｂｃｏｄｅデータエリアのＡＰＴには、ＤＶフォーマットを示す情報が記録され、かつ、ＳｕｂｃｏｄｅセクタのＳｕｂｃｏｄｅデータの記録開始位置が、ＤＶフォーマットにしたがってデータが記録されたときのＳｕｂｃｏｄｅセクタのＳｕｂｃｏｄｅデータの記録開始位置と同一になる。したがって、ＤＶ再生装置（ＤＶフォーマットにのみ準拠している再生装置）は、磁気テープ記録再生装置１により本発明に係るフォーマットにしたがってデータが記録されたＤＶテープを再生する際に、ＩＴＩのＡＰＴを評価し、当該ＤＶテープがＤＶフォーマット以外のフォーマットにしたがって記録がなされたものであると認識したときには、Ｍａｉｎセクタに記録されているデータは読み取らずに、ＳｕｂｃｏｄｅセクタのＳｕｂｃｏｄｅデータに記録されているタイムコード等を読み出し、ディスプレイに当該タイムコード等を表示するように動作する。ユーザーは、ディスプレイに表示されたタイムコード等によりＭａｉｎセクタに既に他のデータが記録されていることを認識することができ、Ｍａｉｎセクタに記録されているデータを誤って消去又は他のデータで上書き記録しないように注意することができる。
【００７１】
また、ＤＶ再生装置を使用するユーザーに、例えば、取り扱い説明書等により、無記録テープかどうかの判断を行うための所定の動作（例えば、Ｃｕｅ／Ｒｅｖｉｅｗ動作）を実行させるようにしても良い。ＤＶ再生装置は、Ｃｕｅ／Ｒｅｖｉｅｗ動作をすることにより、ＩＴＩセクタを読み飛ばし、ＳｕｂｃｏｄｅセクタのＳｕｂｃｏｄｅデータに記録されているデータ（タイムコード等）のみを読み出し、ディスプレイに当該タイムコード等を表示するように動作する。ユーザーは、ディスプレイに表示されたタイムコード等によりＭａｉｎセクタに既に他のデータが記録されていることを認識することができ、Ｍａｉｎセクタに記録されているデータを誤って消去又は他のデータで上書き記録しないように注意することができる。
【００７２】
【発明の効果】
以上詳細に説明したように、本発明に係る記録装置及び方法は、ＤＶフォーマットに準拠した磁気テープに、例えば、ＨＤ映像データを記録する際に、当該ＨＤ映像データを圧縮処理して、少なくともタイムコードを含むシステムデータを生成し、当該ＨＤ映像データに基づき所定の方法で拡張トラック番号を生成し、圧縮後のＨＤ映像データとシステムデータを記憶部に格納し、拡張トラック番号に基づき記憶部から圧縮後のＨＤ映像データとシステムデータを読み出し、ＤＶフォーマットとは異なる第２のフォーマットにしたがって磁気テープに記録するので、ＩＴＩのＡＰＴには、当該第２のフォーマットを示す情報が記録され、ＳｕｂｃｏｄｅセクタのＳｕｂｃｏｄｅデータエリアのＡＰＴには、ＤＶフォーマットを示す情報が記録され、かつ、ＳｕｂｃｏｄｅセクタのＳｕｂｃｏｄｅデータの記録開始位置が、ＤＶフォーマットにしたがってデータが記録されたときのＳｕｂｃｏｄｅセクタのＳｕｂｃｏｄｅデータの記録開始位置と同一になる。
【００７３】
したがって、ＤＶ再生装置（ＤＶフォーマットにのみ準拠している再生装置）は、本発明に係る記録装置により第２のフォーマットにしたがってデータが記録された磁気テープを再生する際に、ＩＴＩのＡＰＴを評価し、当該磁気テープが第２のフォーマットにしたがって記録がなされたものであると認識し、Ｍａｉｎセクタに記録されているデータは読み取らずに、ＳｕｂｃｏｄｅセクタのＳｕｂｃｏｄｅデータに記録されているタイムコード等を読み出し、ディスプレイに当該タイムコード等を表示するように動作する。ユーザーは、ディスプレイに表示されたタイムコード等によりＭａｉｎセクタに既に他のデータが記録されていることを認識することができ、Ｍａｉｎセクタに記録されているデータを誤って消去又は他のデータで上書き記録しないように注意することができる。
【図面の簡単な説明】
【図１】ＤＶフォーマットのトラック内のセクタ配置を示す図である。
【図２】本発明に係るフォーマットのトラック内のセクタ配置を示す図である。
【図３】本発明に係るフォーマットのＩＴＩセクタの構成を示す図である。
【図４】本発明に係るフォーマットのＩＴＩセクタのＴＩＡのシンク構成を示す図である。
【図５】図４に示すＴＩＡのＡＰＴ配置を示す図である。
【図６】本発明に係るフォーマットのＭａｉｎセクタの構成を示す図である。
【図７】本発明に係るフォーマットのＳｕｂｃｏｄｅデータの構成を示す図である。
【図８】図７に示すＳｕｂｃｏｄｅデータのＳｕｂｃｏｄｅデータエリアの構成を示す図である。
【図９】図７に示すＳｕｂｃｏｄｅデータのＳｕｂｃｏｄｅデータエリアのＦｉｒｓｔＴｒａｃｋ  Ｄａｔａ（前半データ）とＳｅｃｏｎｄ  Ｔｒａｃｋ  Ｄａｔａ（後半データ）の構成を示す図である。
【図１０】拡張トラック番号（ＥＴＮ）のパック構造を示す図である。
【図１１】ＤＶフォーマットにおけるＳｕｂｃｏｄｅセクタのＳｕｂｃｏｄｅデータのＩＤデータエリアの構成を示す図である。
【図１２】本発明に係るフォーマットにおけるＳｕｂｃｏｄｅセクタのＳｕｂｃｏｄｅデータのＩＤデータエリアの構成を示す図である。
【図１３】本発明に係るフォーマットを採用した磁気テープ記録再生装置の記録系のブロック図である。
【図１４】本発明に係るフォーマットを採用した磁気テープ記録再生装置の再生系のブロック図である。
【符号の説明】
１  磁気テープ記録再生装置、２  磁気テープ、３  映像データ圧縮部、４  サーチデータ発生部、５  音声データ圧縮部、６  補助データ発生部、７  ＭＵＸ部、８  制御部、９  誤り訂正符号ＩＤ付加部、１０  サブコード発生部、１１  ２４−２５変換部、１２  シンク付加回路、１３  変調部・Ｐ／Ｓ変換部、１４  磁気ヘッド、２１  デジタル変換部・Ｓ／Ｐ変換部、２２  復調部、２３シンク検出部、２４  誤り符号ＩＤ検出部、２５  ２５−２４変換部、２６  サブコード検出部、２７  ＤＥＭＵＸ部、２８  映像データ伸長部、２９  サーチデータ検出部、３０  音声データ伸長部、３１  補助データ検出部
【図１】
2004312314.tif 000003
【図２】
2004312314.tif 000004
【図３】
2004312314.tif 000005
【図４】
2004312314.tif 000006
【図５】
2004312314.tif 000007
【図６】
2004312314.tif 000008
【図７】
2004312314.tif 000009
【図８】
2004312314.tif 000010
【図９】
2004312314.tif 000011
【図１０】
2004312314.tif 000012
【図１１】
2004312314.tif 000013
【図１２】
2004312314.tif 000014
【図１３】
2004312314.tif 000015
【図１４】
2004312314.tif 000016